(57)【特許請求の範囲】
【請求項１】
通信事業者の局に設置された光波長多重伝送装置とユーザービルに設置された光波長変換装置との間で光信号が波長分割多重伝送方式にて伝送される光信号の波長の登録、削除および変更を制御する光波長伝送システムであって、
該光波長多重伝送装置は、監視制御装置からの制御情報に基づき、波長の登録を該システム内に通知するための第１の波長から登録対象となる波長と同じ波長に変化する光信号、波長の削除を該システム内に通知するための第２の波長の光信号、および登録された波長の変更を該システム内に通知するための第３の波長から波長の変更の対象となる波長と
同じ波長に変化する光信号を生成する制御信号生成部を備え、
該光波長変換装置は、
該制御信号生成部が生成する光信号の波長を検出する制御信号検出部と、
該制御信号検出部が検出した波長に基づいて、該光波長多重伝送装置に送信する光信号の登録、削除、および変更を制御する送信信号制御部を備えることを特徴とする光波長伝送システム。 
【請求項２】
通信事業者の局に設置された光波長多重伝送装置とユーザービルに設置された光波長変換装置との間で光信号を伝送するとともに、前記光信号と他の光信号とを波長多重化伝送する光波長多重伝送システムであって、
該光波長多重伝送装置は、
監視制御装置から受信した制御情報に基づき、波長の登録を該システム内に通知するための第１の波長から登録対象となる波長と同じ波長に変化する光信号、波長の削除を該システム内に通知するための第２の波長の光信号、波長の変更を該システム内に通知するための第３の波長から波長の変更の対象となる波長と同じ波長の光信号に変化する光信号を生成する制御信号生成部と、
光スイッチを含み、該波長の登録、該波長の削除及び該波長の変更のそれぞれの対象となる単一波長の光信号が送信されるポートへの光路が該光スイッチにより選択され、該制御信号生成部が生成する光信号を送信する単一波長信号送信部と、
該光波長多重伝送装置を監視および制御する監視制御装置から受信する波長の識別子を含むコマンドに基づき該制御信号生成部へ該コマンドの種別に対応した波長情報を通知し、該単一波長信号送信部へ該制御の対象となる波長情報を通知する多重装置制御部を備えることを特徴とする光波長多重伝送システム。
【請求項３】
通信事業者の局に設置された光波長多重伝送装置とユーザービルに設置された光波長変換装置との間で光信号が波長分割多重伝送方式にて伝送される光信号の波長の登録、削除および変更を制御するための光波長伝送システムを構成し、光信号を波長多重するために該光信号の波長を変換する光波長変換装置であって、
受信する光信号の波長を検出する制御信号検出部と、
該制御信号検出部が検出した波長が、第１の波長から登録対象となる波長と同じ波長に変化する波長であった場合に該制御信号検出部が検出した変化後の波長を波長登録の対象となる波長として設定し、第２の波長であった場合に送信している光信号を停止し、第３の波長から波長の変更の対象となる波長と同じ波長に変化する波長であった場合に該制御信号検出部が検出した変化後の波長を送信波長として設定するように制御する送信信号制御部を備えることを特徴とする光波長変換装置。
【請求項４】
通信事業者の局に設置された光波長多重伝送装置とユーザービルに設置された光波長変換装置との間で光信号が波長分割多重伝送方式にて伝送される光信号の波長の登録、削除および変更を制御する光波長伝送システムの波長制御方法であって、
該光波長多重伝送装置は、監視制御装置からの制御情報に基づき、波長の登録を該システム内に通知するための第１の波長から登録対象となる波長と同じ波長に変化する光信号、波長の削除を該システム内に通知するための第２の波長の光信号、および登録された波長の変更を該システム内に通知するための第３の波長から波長の変更の対象となる波長と同じ波長に変化する光信号を生成し、
該光波長変換装置は、
受信した該光信号の波長を検出し、
検出した該光信号の波長に基づいて、該光波長多重伝送装置に送信する光信号の登録、削除、および変更を制御することを特徴とする光波長伝送システムの波長制御方法。
【発明の詳細な説明】
【技術分野】
【０００１】
本発明は、波長分割多重（ＷＤＭ：wavelength division multiplexing）伝送方式にて光信号を伝送する光波長伝送システム、光波長伝送システムを構成し波長の異なる複数の単一波長の光信号を多重して伝送する光波長多重伝送装置、光波長伝送システムを構成し光信号を波長分割多重するために光信号の波長を単一波長に変換する光波長変換装置において、伝送される光信号の波長の登録（使用）、削除（未使用）、及び使用する波長の変更を制御する光波長伝送システム、光波長多重伝送装置、光波長変換装置、及び光波長伝送システムの波長制御方法に関する。
【背景技術】
【０００２】
多くの通信事業者が光ファイバのコスト低減や高速伝送のために、２．４Ｇｂｐｓ、１０ＧｂｐｓのＳＤＨ／ＳＯＮＥＴ（synchronous digital hierarchy／synchronous optical network）データやギガビット・イーサネット（登録商標）のデータに１波を割り当て、異なる複数の波長を多重して伝送するＷＤＭ伝送方式を導入している。
【０００３】
図９は光波長伝送システムの概要を説明する図である。１は光波長多重伝送装置、２は光波長変換装置、３はユーザー装置である。
【０００４】
ユーザー装置３はルーター等のユーザー事務所（ビル）等に設置される装置であり、ギガビット・イーサネット（登録商標）のデータを、光ファイバを介して光波長変換装置２と送受信する。
【０００５】
光波長変換装置２は通信事業者のビル（局）に設置され、ユーザー装置３からのワイドバンドの搬送波を使った光信号を、予め設定されたナローバンド（単一波長）の搬送波を使った光信号に変換する。また、光波長多重伝送装置１からの予め設定された波長の光信号を受信し、ユーザー装置３へ転送する。
【０００６】
光波長多重伝送装置１は通信事業者のビル（局）に設置され、光波長変換装置２で変換された単一波長の光信号を複数多重して対向する光波長多重伝送装置１へ送信する。また、対向する光波長多重伝送装置１からの光信号を受信し、複数の異なる波長の光信号に分割し、それぞれの波長毎に対応する光波長変換装置２に送信する。
【０００７】
光波長変換装置２のそれぞれには使用する単一波長が設定され、その波長は光波長変換装置２のそれぞれで異なり、光波長多重伝送装置１の波長毎にそれぞれ対応するポート１１に接続される。
【０００８】
光波長多重伝送装置１、光波長変換装置２が設置される通信事業者の局では、監視制御装置（図示せず。）を設置し、保守センターから通知される保守情報に基づいて、ＷＤＭ伝送に使用する波長の登録、未使用となる波長の削除、使用する波長の異なる波長への変更の制御を行っている。
【０００９】
ユーザー装置３が設置されるユーザービルと光波長多重伝送装置１、光波長変換装置２が設置される通信事業者の局との間の光ファイバの経済性を高めるため、または長距離化のために、光波長多重伝送装置１、光波長変換装置２をユーザービルに設置し、ユーザービルと通信事業者の局との間にＷＤＭ伝送方式を用いて運用する場合がある（図示せず。）。しかしながら、この運用形態では監視制御装置もユーザービルに設置することが必要となり、ユーザービルでの装置設置スペースの確保や装置へ供給する電力容量の増加等においてユーザービルへの負担が大きくなってしまう。
【００１０】
装置設置スペース、電力容量において影響が大きい光波長多重伝送装置１を通信事業者の局に設置し、光波長変換装置２をユーザービルに設置する場合がある。この場合は、光ファイバの経済性を高めることは出来ないが、ユーザービルと通信事業者の局との間の長距離化が必要な場合に有効である。しかし、光波長変換装置２に対して、伝送される光信号の波長の登録（使用）、削除（未使用）、及び使用する波長の変更の制御を如何に実現するかが課題となる。
【００１１】
波長の割り当て（登録）や波長の切り替え（変更）を、複数の単一波長光の波長検出、波長設定や選択の手順の自動化によって実現する一手段が開示されている（例えば、特許文献１参照）。
【特許文献１】特開２００５−３４１５２９号公報
【発明の開示】
【発明が解決しようとする課題】
【００１２】
以上記載したように、ユーザービルと通信事業者の局との間の長距離化を実現するために、ユーザービルに光信号の波長を単一波長に変換する光波長変換装置を設置した場合に、ユーザービルに監視制御装置を設置せずに、光波長変換装置に対して光信号の波長の登録（使用）、削除（未使用）、及び使用する波長の変更の制御を実現することが課題となる。
【００１３】
本発明は、通信事業者の局に設置された光波長多重伝送装置が、ユーザービルに設置された光波長変換装置に対して特定の波長の光信号を送信することによって、光波長変換装置での波長の使用、未使用、及び使用する波長の変更の制御が実現できる光波長伝送システム、光波長多重伝送装置、光波長変換装置、及び光波長伝送システムの波長制御方法を提供することを目的とする。
【００１４】
ここで、波長の登録とはＷＤＭ伝送方式にて光信号を伝送するために使用する波長を割り当てることである。波長の削除とはＷＤＭ伝送方式にて伝送している光信号に使用している波長を削除し、その波長の光信号の伝送を停止することである。波長の変更とはＷＤＭ伝送方式にて伝送している光信号に使用している波長を異なる波長に変更することである。
【課題を解決するための手段】
【００１５】
本発明の第一の態様は、通信事業者の局に設置された光波長多重伝送装置とユーザービルに設置された光波長変換装置との間で光信号が波長分割多重伝送方式にて伝送される光信号の波長の登録、削除および変更を制御する光波長伝送システムであって、
該光波長多重伝送装置は、監視制御装置からの制御情報に基づき、波長の登録を該システム内に通知するための第１の波長から登録対象となる波長と同じ波長に変化する光信号、波長の削除を該システム内に通知するための第２の波長の光信号、および登録された波長の変更を該システム内に通知するための第３の波長から波長の変更の対象となる波長と同じ波長の光信号へ変化する光信号を生成する制御信号生成部を備え、
該光波長変換装置は、
該制御信号生成部が生成する光信号の波長を検出する制御信号検出部と、
該制御信号検出部が検出した波長に基づいて、該光波長多重伝送装置に送信する光信号の登録、削除、および変更を制御する送信信号制御部を備えることを特徴とする光波長伝送システムである。
【００１６】
本発明の第一の態様によれば、第１、第２、第３の特定の波長を用いて波長の登録、削除、変更の制御を実現できる光波長伝送システムを提供することが可能となる。
【００１７】
本発明の第二の態様は、通信事業者の局に設置された光波長多重伝送装置とユーザービルに設置された光波長変換装置との間で光信号を伝送するとともに、前記光信号と他の光信号とを波長多重化伝送する光波長多重伝送装置であって、
該光波長多重伝送システムは、
監視制御装置から受信した制御情報に基づき、波長の登録を該システム内に通知するための第１の波長から登録対象となる波長と同じ波長に変化する光信号、波長の削除を該システム内に通知するための第２の波長の光信号、波長の変更を該システム内に通知するための第３の波長から波長の変更の対象となる波長と同じ波長の光信号へ変化する光信号を生成する制御信号生成部と、
光スイッチを含み、該波長の登録、該波長の削除及び該波長の変更のそれぞれの対象となる単一波長の光信号が送信されるポートへの光路が該光スイッチにより選択され、該制御信号生成部が生成する光信号を送信する単一波長信号送信部と、
該光波長多重伝送装置を監視および制御する監視制御装置から受信する波長の識別子を含むコマンドに基づき該制御信号生成部へ該コマンドの種別に対応した波長情報を通知し、該単一波長信号送信部へ該制御の対象となる波長情報を通知する多重装置制御部を備えることを特徴とする光波長多重伝送システムである。 
【００１８】
本発明の第二の態様によれば、波長の登録、削除、変更の制御を実施する場合に、本制御の対象となる波長を識別し、第１、第２、第３の特定の波長の光信号を対応する光波長変換装置に送信することができる光波長多重伝送装置を提供することが可能となる。
【００１９】
本発明の第三の態様は、通信事業者の局に設置された光波長多重伝送装置とユーザービルに設置された光波長変換装置との間で光信号が波長分割多重伝送方式にて伝送される光信号の波長の登録、削除および変更を制御するための光波長伝送システムを構成し、光信号を波長多重するために該光信号の波長を変換する光波長変換装置であって、
受信する光信号の波長を検出する制御信号検出部と、
該制御信号検出部が検出した波長が、第１の波長から登録対象となる波長と同じ波長に変化する波長であった場合に該制御信号検出部が検出した変化後の波長を波長登録の対象となる波長として設定し、第２の波長であった場合に送信している光信号を停止し、第３の波長から波長の変更の対象となる波長と同じ波長に変化する波長であった場合に該制御信号検出部が検出した変化後の波長を送信波長として設定するように制御する送信信号制御部を備えることを特徴とする光波長変換装置である。
【００２０】
本発明の第三の態様によれば、第１、第２、第３の特定の波長を検出し、波長の登録の対象となる波長の光信号を送信し（波長の登録）、送信している光信号を停止し（波長の削除）、波長変更の対象となる波長の光信号を送信する（波長の変更）のいずれかの制御を実現する光波長変換装置を提供することが可能となる。
【００２１】
本発明の第四の態様によれば、通信事業者の局に設置された光波長多重伝送装置とユーザービルに設置された光波長変換装置との間で光信号が波長分割多重伝送方式にて伝送される光信号の波長の登録、削除および変更を制御する光波長伝送システムの波長制御方法であって、
該光波長多重伝送装置は、監視制御装置からの制御情報に基づき、波長の登録を該システム内に通知するための第１の波長から登録対象となる波長と同じ波長に変化する光信号、波長の削除を該システム内に通知するための第２の波長の光信号、および登録された波長の変更を該システム内に通知するための第３の波長から波長の変更の対象となる波長と同じ波長に変化する光信号を生成し、
該光波長変換装置は、
受信した該光信号の波長を検出し、
検出した該光信号の波長に基づいて、該光波長多重伝送装置に送信する光信号の登録、削除、および変更を制御することを特徴とする光波長伝送システムの波長制御方法。
【００２２】
本発明の第四の態様によれば、第１、第２、第３の特定の波長を用いて波長の登録、削除、変更の制御方法を実現できる光波長伝送システムの波長制御方法を提供することが可能となる。
【発明の効果】
【００２３】
本発明によれば、光信号を波長多重するため光信号の波長を単一波長に変換する光波長変換装置をユーザービルに設置した場合に、通信事業者の局に設置した、波長の異なる複数の単一波長の光信号を多重して伝送する光波長多重伝送装置から送信する第１、第２、第３の特定の波長を用いて波長の登録、削除、変更の制御を実現できる。
【発明を実施するための最良の形態】
【００２４】
以降、図面を併用して本発明の詳細を説明する。なお、図面において同一のものまたは類似するものについては同一の符号を記載する。
【００２５】
図１は光波長伝送システムの概要を説明する図である。
【００２６】
通信事業者の局に設置（以降、局設置と記載する場合がある。）されている監視制御装置（図示せず。）からの制御情報に基づいて、光信号の波長の登録、削除、及び使用する波長の変更の制御を実施する。
【００２７】
例えば、新たな波長を使用してＷＤＭ伝送を実施する場合、監視制御装置からの新規波長登録コマンドと新規に登録する波長の識別子を受信し、制御信号生成部１６は波長登録用の第１の波長の光信号を生成し、新規に登録する波長に対応するポート１１から波長登録用の第１の波長の光信号を送信する。そして、第１の波長の光信号の送信の後、新規に登録する波長の光信号を同じポート１１から送信する。
【００２８】
なお、１４は光増幅器であり、受信されたＷＤＭ伝送の光信号を増幅する。１５は波長分割部であり、波長多重された光信号を波長毎の光信号に分割する。分割された波長毎の光信号は、その波長に対応するポート（送信ポート１１（Ｓ））を介して光波長変換装置２に送信される。
【００２９】
光波長変換装置２では、光波長多重伝送装置１から送信され、光信号受信部２１で受信し、一部分波された光信号より第１の波長を、制御信号検出部２２は検出し、その後に送信されてきた光信号の波長を検出する。送信信号制御部２３は先に検出した第１の波長によって波長の登録の制御であることを認識し、次に検出した波長を新たに登録された波長、つまり新たに使用される波長として、光信号送信部２４の送信波長をこの波長に設定する。
【００３０】
光信号送信部２４が送信する波長の光信号は、光波長多重伝送装置１にてこの送信される波長に対応するポート（受信ポート１１（Ｒ））を介して受信され、波長多重部１２にて他の波長の光信号と多重され、光増幅部１３にて所定の光信号に増幅されて伝送される。
【００３１】
図２は光波長多重伝送装置の概要を説明する図であり、図１の光波長多重伝送装置１について示している。１０は単一波長信号送信部、１１はポート（１１（Ｒ）：受信ポート、１１（Ｓ）：送信ポート）、１２は波長多重部、１３、１４は光増幅部、１５は波長分割部、１６１は多重装置制御部、１６２は波長登録テーブル、１６３は制御信号生成部、１６４は光合波部、１５１は光分配部、そして１５２は光スイッチ部である。
【００３２】
図３は光波長変換装置の概要を説明する図であり、図１の光波長変換装置２について示している。２１は光信号受信部、２２は制御信号検出部、２３は送信信号制御部、２４は光信号送信部、２５はＳＤＨ／ＳＯＮＥＴフレーム処理部、２６はユーザーフレーム処理部、２７はユーザー信号送信部、２８はユーザー信号受信部である。
【００３３】
図４は波長登録テーブルを説明する図であり、光波長多重伝送装置１に備えている波長登録テーブル１６２のテーブル内容を示している。波長は、光波長多重伝送装置１が波長多重するために使用する波長を示している。ポート番号は、波長毎に対応する光波長変換装置と接続するための端子（ポート）の番号を示している。登録情報は、光波長多重伝送装置１と同じく局設置された光波長変換装置の実装位置を示しており、例えば“２−１０”は２番目の棚の１０番目のボードであり、“０”は局設置された光波長変換装置には使用されていないことを示している。
【００３４】
図５は波長登録制御手順を説明する図である。
【００３５】
図６は波長削除制御手順を説明する図である。
【００３６】
図７、図８は波長変更制御手順（その１）、（その２）を説明する図である。
【００３７】
以降、これらの図を用いて、新たに伝送される光信号として使用する波長を設定（登録）する手順を実施例１として、伝送されている光信号を未使用にする波長を設定（削除）する手順を実施例２として、そして、伝送されている光信号の波長を異なる波長に設定（変更）する手順を実施例３として説明する。
【００３８】
なお、図３、図４の詳細な説明は実施例１において説明する。
（実施例１）
ＷＤＭ伝送のシステムにおいて、新たに伝送される光信号に使用する波長を設定（登録）する手順について説明する。
【００３９】
図５のステップＳ０１は、光波長多重伝送装置１が局設置の監視制御装置から波長登録コマンドを受信するためのステップである。
【００４０】
図２の光波長多重伝送装置１の多重装置制御部１６１は、監視制御装置（図示せず。）から、新規に登録する波長の識別子を含んだ新規波長登録コマンドを受信する。
【００４１】
図５のステップＳ０２は、新規波長登録の対象となる波長について、局設置の光波長変換装置２で使用している波長か否かを判断するためのステップである。
【００４２】
図２の光波長多重伝送装置１の多重装置制御部１６１は、波長登録テーブル１６２を波長について検索し、対象となる波長の登録情報に基づいて波長が登録されているか否かを判断する。例えば、対象となる波長１５７７．８６ｎｍとすれば、使用するポートは６番であり、登録情報が“０”であるため局設置された光波長変換装置２には使用されていないことになる。以降、波長の登録の対象となる波長は１５７７．８６ｎｍ、ポート番号は６番とする。
【００４３】
図５のステップＳ０３は、ステップＳ０２で対象となる波長が局設置の光波長変換装置２で使用されている場合であり、局設置の光波長変換装置２に波長の設定（登録）を実施するためのステップである。
【００４４】
図５のステップＳ０４は、ステップＳ０２で対象となる波長が遠隔設置の光波長変換装置２で使用できる場合であり、波長の登録の制御を通知するための特定の波長（第１の波長）を波長１５７７．８６ｎｍに該当する光波長変換装置２へ送信するためのステップである。
【００４５】
図５のステップＳ０５は、第１の波長の光信号を該当するポートを介して光波長変換装置２へ一定時間送出するためのステップである。
【００４６】
図２の光波長多重伝送装置１の多重装置制御部１６１は、制御信号生成部１６３に対し、遠隔設置の光波長変換装置２に波長の登録の制御を通知するための特定の波長（第１の波長）を生成するように制御する。そして、波長の登録の対象となる波長１５７７．８６ｎｍのポート番号は６番に対応する光スイッチ部１５２において、波長の登録に対応するスイッチ（１）をＯＮにするように制御する。
【００４７】
制御信号生成部１６３は、特定の波長（第１の波長）、例えば１５３０．００ｎｍの光信号を一定時間（例えば１０秒）送出する。
【００４８】
光分波部１６４、波長分割部１５、光分配部１５１、光スイッチ部１５２によって構成され、単一波長の光信号を送信する単一波長送信部１０は、以下のように波長１５３０．００ｎｍの光信号を送信する。
【００４９】
光合波部１６４は、制御信号生成部１６３が送出した光信号を光増幅部１４からの光信号（主信号）に合波し、波長分割部１５に送信する。
【００５０】
波長分割部１５は、光合波部１６４からの波長多重された光信号を単一波長の光信号に分割する。
【００５１】
光分配部１５１は、波長分割部１５によって分割された特定の波長（第１、第２、第３の波長）のそれぞれを光スイッチ部１５２へ分配する。光分配部１５１（１）は波長の登録（使用）の特定波長（第１の波長）を分配する。光分配部１５１（２）は波長の削除（未使用）の特定波長（第２の波長）を分配する。光分配部１５１（３）は波長の変更の特定波長（第３の波長）を分配する。
【００５２】
光スイッチ部１５２は、多重装置制御部１６１の制御に基づいて（０）〜（３）の何れかのスイッチをＯＮにする。スイッチ（０）は主信号を通す場合に、スイッチ（１）は第１の波長の光信号を通す場合に、スイッチ（２）は第２の波長の光信号を通す場合に、そしてスイッチ（３）は第３の波長の光信号を通す場合にＯＮになるように制御される。
【００５３】
本実施例の場合、多重装置制御部１６１は６番ポートに接続する光スイッチ部１５２のスイッチ（１）をＯＮにしているので、第１の波長１５３０．００ｎｍの光信号が６番ポートを介して光波長変換装置２へ送出される。
【００５４】
図３の光波長変換装置２の光信号受信部２１は光波長多重伝送装置１からの光信号を受信し、光信号の一部を分波する。
【００５５】
制御信号検出部２２は光信号受信部２１にて分波された光信号の波長を検出する。
【００５６】
送信信号制御部２３は制御信号検出部２２にて検出された波長に基づいて光信号送信部２４の送信する光信号を設定する。
【００５７】
ＳＤＨ／ＳＯＮＥＴフレーム処理部２５は光信号受信部２１からの主信号の受信フレーム、光信号送信部２４への主信号の送信フレームを処理する。
【００５８】
ユーザーフレーム処理部２６はユーザーからの受信した光信号の受信フレーム、ユーザーへ送信する光信号の送信フレームを処理する。
【００５９】
ユーザー光信号送信部２７はユーザーフレーム処理部２６からの送信フレームが処理された光信号をユーザーへ送信する。
【００６０】
ユーザー光信号受信部２８はユーザーからの受信した光信号を、ユーザーフレーム処理部２６へ送信する。
【００６１】
図５のステップＳ１１は、光波長変換装置２において光波長多重伝送装置１からの第１の波長の光信号を受信し、新たに伝送する光信号として使用する波長を設定（登録）する制御を開始するためのステップである。
【００６２】
図３の光信号受信部２１は光波長多重伝送装置１からの第１の波長１５３０．００ｎｍの光信号を受信する。
【００６３】
制御信号検出部２２は第１の波長１５３０．００ｎｍの光信号を検出する。
【００６４】
送信信号制御部２３は第１の波長１５３０．００ｎｍの光信号が一定時間受信されたことによって、次に受信する光信号の波長を新たに伝送する光信号として使用する波長として設定（登録）する。
【００６５】
図５のステップＳ０６は、波長の登録の制御の対象となる波長を光波長変換装置２へ送信するステップである。本実施例では対象となる波長は１５７７．８６ｎｍとしている。
【００６６】
図５のステップＳ０７は、波長の登録の制御の対象となる波長を光波長変換装置２へ一定時間送出するためのステップである。
【００６７】
図２の光波長多重伝送装置１の多重装置制御部１６１は、制御信号生成部１６３に対し、遠隔設置の光波長変換装置２に波長の登録の対象となる波長１５７７．８６ｎｍを生成するように制御する。そして、これ以降は主信号を送信するのでポート６のスイッチ部１５２のスイッチ（０）をＯＮにするように制御する。
【００６８】
制御信号生成部１６３は、波長１５７７．８６ｎｍの光信号を一定時間（例えば１０秒）送出する。
【００６９】
図５のステップＳ１２は、光波長変換装置２において光波長多重伝送装置１からの波長の登録の対象となる波長の光信号を受信し、その波長を検出するためのステップである。
【００７０】
図５のステップＳ１３は、検出した波長を新たに伝送する光信号として使用する波長として設定（登録）するためのステップである。
【００７１】
図３の光波長変換装置２の光信号受信部２１は光波長多重伝送装置１からの波長の登録の対象となる波長１５７７．８６ｎｍの光信号を受信する。
【００７２】
制御信号検出部２２は波長１５７７．８６ｎｍの光信号を検出する。
【００７３】
送信信号制御部２３は波長１５７７．８６ｎｍの光信号が一定時間受信されたことによって、新たに伝送する光信号の波長として、光信号送信部２４の送信波長を１５７７．８６ｎｍに設定する。
【００７４】
本実施例により、光波長多重伝送装置や光波長変換装置を制御する監視制御装置が設置されていない遠隔局に光波長変換装置を設置したシステムにおいて、光波長変換装置に新たに使用する光信号の波長を設定する場合、監視制御装置が設置されている光波長多重伝送装置は特定波長（第１の波長）の光信号と登録の対象となる波長の光信号を光波長変換装置に送信することによって、光波長変換装置は新たに設定された波長の光信号を送信することが可能となる。
（実施例２）
ＷＤＭ伝送のシステムにおいて、伝送されている光信号を停止し、その信号の波長を未使用に設定（削除）する制御手順について説明する。
【００７５】
図６のステップＳ２１は、光波長多重伝送装置１が局設置の監視制御装置から波長削除コマンドを受信するためのステップである。
【００７６】
図６のステップＳ２２は、使用している波長を未使用にする（削除する）ための対象となる波長について、局設置の光波長変換装置２で使用している波長か否かを判断するためのステップである。
【００７７】
図２の光波長多重伝送装置１の多重装置制御部１６１は、監視制御装置（図示せず。）から、削除する波長の識別子を含んだ波長削除コマンドを受信する。
【００７８】
多重装置制御部１６１は、波長登録テーブル１６２を波長について検索し、対象となる波長の登録情報に基づいて波長が登録されているか否かを判断する。例えば、対象となる波長１５７７．８６ｎｍとすれば、使用するポートは６番であり、登録情報が“０”であるため局設置された光波長変換装置２には使用されていないことになる。以降、波長の削除の対象となる波長は１５７７．８６ｎｍ、ポート番号は６番とする。
【００７９】
図６のステップＳ２３は、ステップＳ２２で対象となる波長が局設置の光波長変換装置２で使用されている場合であり、局設置の光波長変換装置２に波長の削除を実施するためのステップである。
【００８０】
図６のステップＳ２４は、ステップＳ２２で対象となる波長が遠隔設置の光波長変換装置２で使用できる場合であり、波長の削除の制御を通知するための特定の波長（第２の波長）を波長１５７７．８６ｎｍに該当する光波長変換装置２へ送信するためのステップである。
【００８１】
図６のステップＳ２５は、第２の波長の光信号を該当するポートを介して光波長変換装置２へ一定時間送出するためのステップである。
【００８２】
図２の光波長多重伝送装置１の多重装置制御部１６１は、制御信号生成部１６３に対し、遠隔設置の光波長変換装置２に波長の削除の制御を通知するための特定の波長（第２の波長）を生成するように制御する。そして、波長の削除の対象となる波長１５７７．８６ｎｍのポート番号６番に対応する光スイッチ部１５２において、波長の削除に対応するスイッチ（２）をＯＮにするように制御する。
【００８３】
制御信号生成部１６３は、特定の波長（第２の波長）、例えば１５３５．００ｎｍの光信号を一定時間（例えば１０秒）送出する。
【００８４】
よって、単一波長信号送信部１０は実施例１と同様に、第２の波長の光信号を光合波部１６４、波長分割部１５、光分配部１５１（２）で処理し、そして多重装置制御部１６１は６番ポートに接続する光スイッチ部１５２のスイッチ（２）をＯＮにしているので、第２の波長の光信号は６番ポートを介して該当する光波長変換装置２へ送出される。
【００８５】
図６のステップＳ３１は、光波長変換装置２において光波長多重伝送装置１からの第２の波長の光信号を受信し、現在使用している波長を未使用にする（削除する）ためのステップである。
【００８６】
図３の光波長変換装置２の光信号受信部２１は光波長多重伝送装置１からの第２の波長１５３５．００ｎｍの光信号を受信する。
【００８７】
制御信号検出部２２は第２の波長１５３５．００ｎｍの光信号を検出する。
【００８８】
送信信号制御部２３は第２の波長１５３５．００ｎｍの光信号が一定時間受信されたことによって、光信号送信部２４が送信している光信号を停止する。なお、光波長変換装置２は光信号送信部２４の送信停止に伴う警報発生を抑制する。
【００８９】
本実施例により、光波長多重伝送装置や光波長変換装置を制御する監視制御装置が設置されていない遠隔局に光波長変換装置を設置したシステムにおいて、光波長変換装置にて送信している光信号を停止する場合、監視制御装置が設置されている光波長多重伝送装置は特定波長（第２の波長）の光信号を光波長変換装置に送信することによって、光波長変換装置は送信している光信号を停止することが可能となる。
（実施例３）
ＷＤＭ伝送のシステムにおいて、伝送されている光信号の波長を異なる波長に設定（変更）する制御手順について説明する。
【００９０】
図７のステップＳ４１は、光波長多重伝送装置１が局設置の監視制御装置から波長変更コマンドを受信するためのステップである。
【００９１】
図７のステップＳ４２は、伝送されている光信号の波長を異なる波長に変更するための対象となる波長について、局設置の光波長変換装置２で使用している波長か否かを判断するためのステップである。
【００９２】
図２の光波長多重伝送装置１の多重装置制御部１６１は、監視制御装置（図示せず。）から、変更する対象の波長と変更後の波長のそれぞれの識別子を含んだ波長変更コマンドを受信する。
【００９３】
多重装置制御部１６１は、波長登録テーブル１６２を波長について検索し、対象となる波長の登録情報に基づいて波長が登録されているか否かを判断する。例えば、対象となる波長１５７７．８６ｎｍとすれば、使用するポートは６番であり、登録情報が“０”であるため局設置された光波長変換装置２には使用されていないことになる。以降、波長の変更の対象となる波長は１５７７．８６ｎｍ、ポート番号は６番とし、変更後の波長は１６０６．６０ｎｍ、ポート番号は４０番とする。
【００９４】
図７のステップＳ４３は、ステップＳ４２で対象となる波長が局設置の光波長変換装置２で使用されている場合であり、局設置の光波長変換装置２に波長の変更を実施するためのステップである。
【００９５】
図７のステップＳ４４は、ステップＳ４２で対象となる波長が遠隔設置の光波長変換装置２で使用できる場合であり、波長の変更の制御を通知するための特定の波長（第３の波長）を波長１５７７．８６ｎｍに該当する光波長変換装置２へ送信するためのステップである。
【００９６】
図７のステップＳ４５は、第３の波長の光信号を該当するポートを介して光波長変換装置２へ一定時間送出するためのステップである。
【００９７】
図２の光波長多重伝送装置１の多重装置制御部１６１は、制御信号生成部１６３に対し、遠隔設置の光波長変換装置２に波長の変更の制御を通知するための特定の波長（第３の波長）を生成するように制御する。そして、波長の変更の対象となる波長１５７７．８６ｎｍのポート番号６番に対応する光スイッチ部１５２において、波長の変更に対応するスイッチ（３）をＯＮにするように制御する。
【００９８】
制御信号生成部１６３は、特定の波長（第３の波長）、例えば１５４０．００ｎｍの光信号を一定時間（例えば１０秒）送出する。
【００９９】
よって、単一波長信号送信部１０は実施例１と同様に、第３の波長の光信号を光合波部１６４、波長分割部１５、光分配部１５１（３）で処理し、そして多重装置制御部１６１は６番ポートに接続する光スイッチ部１５２のスイッチ（３）をＯＮにしているので、第３の波長の光信号は６番ポートを介して光波長変換装置２へ送出される。
【０１００】
図７のステップＳ６１は、光波長変換装置２において光波長多重伝送装置１からの第３の波長の光信号を受信し、伝送する光信号として使用する波長を変更するための制御を開始するためのステップである。
【０１０１】
図３の光波長変換装置２の光信号受信部２１は光波長多重伝送装置１からの第３の波長１５４０．００ｎｍの光信号を受信する。
【０１０２】
制御信号検出部２２は第３の波長１５４０．００ｎｍの光信号を検出する。
【０１０３】
送信信号制御部２３は第３の波長１５４０．００ｎｍの光信号が一定時間受信されたことによって、伝送する光信号として使用する波長として、次に受信する光信号の波長を設定する。
【０１０４】
図７のステップＳ４６は、光波長変換装置２に伝送する光信号として使用する波長を変更するために、光波長多重伝送装置１のポートと光波長変換装置２の間の光ケーブル接続を変更するための要求通知を、監視制御装置に通知するためのステップである。
【０１０５】
図７のステップＳ４７は、光波長多重伝送装置１にて、保守者が光波長変換装置２とポート間の光ケーブル接続を変更するためのステップである。
【０１０６】
図７のステップＳ４８は、保守者がステップＳ４７を実行した後、光波長多重伝送装置１が監視制御装置からの光ケーブル接続変更完了コマンドを受信するためのステップである。
【０１０７】
図２の光波長多重伝送装置１において、保守者は６番ポートに接続されている光ケーブルを４０番ポートに接続するように変更する。光ケーブルの接続変更後、保守者は監視制御装置から光波長多重伝送装置１に対し、光ケーブル接続変更完了コマンドを送信する。
【０１０８】
図２の光波長多重伝送装置１の多重装置制御部１６１は、監視制御装置からの光ケーブル接続変更官僚コマンドを受信し、制御信号生成部１６３に対し、遠隔設置の光波長変換装置２に波長の変更後の対象となる波長１６０６．６０ｎｍを生成するように制御する。そして、これ以降は主信号を送信するのでポート４０のスイッチ部１５２のスイッチ（０）をＯＮにするように制御する。
【０１０９】
制御信号生成部１６３は、波長１６０６．６０ｎｍの光信号を一定時間（例えば１０秒）送出する。
【０１１０】
単一波長信号送信部１０は、実施例１と同様に、波長１６０６．６０ｎｍの光信号をポート４０を介して光波長変換装置２へ送信する。
【０１１１】
図８のステップＳ６２は、光波長変換装置２において光波長多重伝送装置１からの波長の変更後の対象となる波長の光信号を受信し、その波長を検出するためのステップである。
【０１１２】
図８のステップＳ６３は、検出した波長を変更後の光信号として設定（変更）するためのステップである。
【０１１３】
図３の光波長変換装置２の光信号受信部２１は光波長多重伝送装置１からの変更後の対象となる波長１６０６．６０ｎｍの光信号を受信する。
【０１１４】
制御信号検出部２２は波長１６０６．６０ｎｍの光信号を検出する。
【０１１５】
送信信号制御部２３は波長１６０６．６０ｎｍの光信号が一定時間受信されたことによって、変更後の光信号の波長として、光信号送信部２４の送信波長を１６０６．６０ｎｍに設定する。
【０１１６】
本実施例により、光波長多重伝送装置や光波長変換装置を制御する監視制御装置が設置されていない遠隔局に光波長変換装置を設置したシステムにおいて、光波長変換装置に使用する波長を変更する場合、監視制御装置が設置されている光波長多重伝送装置は特定波長（第３の波長）の光信号、変更の対象となる波長の光信号と変更後の波長の光信号を光波長変換装置に送信することによって、光波長変換装置は変更された波長の光信号を送信することが可能となる。
【０１１７】
なお、光波長変換装置２が設置されるユーザービルは、ユーザー装置３が設置されるユーザービルと同じ建物であっても良いし、異なる建物であっても良い。
【０１１８】
光波長変換装置２と光波長多重伝送装置１の間の伝送距離は、光波長変換装置２と光波長多重伝送装置１がそれぞれ備える送受信光モジュールの選択によって長距離化を実現できる。
【図面の簡単な説明】
【０１１９】
【図１】光波長伝送システムの概要を説明する図
【図２】光波長多重伝送装置の概要を説明する図
【図３】光波長変換装置の概要を説明する図
【図４】波長登録テーブルを説明する図
【図５】波長登録制御手順を説明する図
【図６】波長削除制御手順を説明する図
【図７】波長変更制御手順（その１）を説明する図
【図８】波長変更制御手順（その２）を説明する図
【図９】光波長伝送システムの概要を説明する図
【符号の説明】
【０１２０】
１    光波長多重伝送装置
２    光波長変換装置
３    ユーザー装置
１０    単一波長信号送信部
１１    ポート
１２    波長多重部
１３、１４    光増幅部
１５    波長分割部
１５１    光分配部
１５２    光スイッチ部
１６１    多重装置制御部
１６２    波長登録テーブル
１６３    制御信号生成部
１６４    光合波部
２１    光信号受信部
２２    制御信号検出部
２３    送信信号制御部
２４    光信号送信部
２５    ＳＤＨ／ＳＯＮＥＴフレーム処理部
２６    ユーザーフレーム処理部
２７    ユーザー信号送信部
２８    ユーザー信号受信部
【図１】
0005070953.tif 000002
【図２】
0005070953.tif 000003
【図３】
0005070953.tif 000004
【図４】
0005070953.tif 000005
【図５】
0005070953.tif 000006
【図６】
0005070953.tif 000007
【図７】
0005070953.tif 000008
【図８】
0005070953.tif 000009
【図９】
0005070953.tif 000010